(57)【要約】      （修正有）【課題】簡易な構成で受信信号を複数の送出周波数のＦＭ信号に変調して送出する放送信号変換伝送装置を提供する。又、放送信号を共同受信設備を用いて伝送し、微弱電波として輻射する放送受信システムを提供する。【解決手段】受信信号が入力される信号入力４と、前記受信信号の信号レベルを増幅する前置増幅器６と、前置増幅器６によって増幅された受信信号のうち、所定の受信周波数の受信信号を音声信号に復調する音声信号復調部２０、及び復調された前記音声信号を前記所定の受信周波数に対応した所定の送出周波数のＦＭ信号に変調するＦＭ変調・増幅部２３を有する変調ユニットとが設けられた、放送信号変換伝送装置１であって、変調ユニットが複数設けられ、それぞれの変調ユニット１１，１２，１３，１４からの出力が合成部１５によって合成され、信号送出１６から出力される。【選択図】図１
0003192255.tif 000002
【実用新案登録請求の範囲】
【請求項１】
受信信号が入力される信号入力部と、
前記受信信号の信号レベルを増幅する信号増幅部と、
前記信号増幅部によって増幅された前記受信信号のうち、所定の受信周波数の受信信号を音声信号に復調する復調部、及び復調された前記音声信号を前記所定の受信周波数に対応した所定の送出周波数のＦＭ信号に変調するＦＭ変調部を有する変調ユニットとが設けられた、前記所定の受信周波数の信号を対応する所定の送出周波数のＦＭ信号に変換して送出する放送信号変換伝送装置であって、
前記変調ユニットが複数設けられ、それぞれの前記変調ユニットから出力された信号が合成されて送出される信号送出部が少なくとも備えられていることを特徴とする放送信号変換伝送装置。
【請求項２】
前記各変調ユニットにて変調される前記受信信号の前記受信周波数を、それぞれ設定する受信周波数設定部と、
前記受信周波数設定部にて設定された前記受信周波数が表示される受信周波数設定表示部と、
前記各変調ユニットから送出されるＦＭ信号の前記送出周波数を設定する送出周波数設定部と、
前記送出周波数設定部にて設定された前記送出周波数が表示される送出周波数設定表示部を備え、
前記受信周波数設定部、前記受信周波数設定表示部、前記送出周波数設定部、前記送出周波数設定表示部が、それぞれ近接して配置されていることを特徴とする請求項１に記載の放送信号変換伝送装置。
【請求項３】
前記受信信号が入力される他の信号入力部と、
前記他の信号入力部から入力された前記受信信号の信号レベルを所定の割合で減衰する信号減衰部と、
前記信号減衰部により減衰された前記受信信号の信号レベルを所定の割合で増幅する他の信号増幅部を更に備え、
前記信号入力部からの前記受信信号が前記変調ユニットに入力され、前記他の信号入力部からの前記受信信号が、他の変調ユニットに入力される第一の状態と、
前記信号入力部からの受信信号が、全ての前記変調ユニットに入力される第二の状態を切り替える切替手段を備えていることを特徴とする請求項１及び請求項２に記載の放送信号変換伝送装置。
【請求項４】
音声信号を入力する外部音声信号入力部を更に備え、
前記受信信号を、前記所定の受信周波数に対応した前記所定の送出周波数のＦＭ信号にそれぞれ変換して送出する通常放送状態と、
前記外部音声信号入力部から入力された音声信号を、全ての前記所定の送出周波数のＦＭ信号に変換して送出する割込放送状態とを切り替える切替手段を備えていることを特徴とする請求項１から請求項３に記載の放送信号変換伝送装置。
【請求項５】
放送信号を受信する放送信号受信部と、
前記放送信号受信部にて受信した放送信号を施設の内部に共同受信設備を用いて伝送する伝送手段と、
前記伝送手段によって伝送された前記放送信号のうち、ＶＨＦ帯の受信信号を施設内の所定領域に対して所定の電界強度以下の強度の電波として輻射する輻射アンテナ部とを備え、
ＶＨＦ帯の放送信号以外の所定の放送信号を受信する他の放送信号受信部と、
請求項１から請求項４に記載の放送信号変換伝送装置と、
を更に有し、
前記他の放送信号受信部により受信した前記所定の放送信号が、前記受信信号として少なくとも前記信号入力部に入力され、
前記信号送出部から送出される信号が、前記伝送手段に入力される
ことを特徴とする放送受信システム。
【考案の詳細な説明】
【技術分野】
【０００１】
本考案は、例えばＡＭ放送などの放送信号を、ＶＨＦ帯の放送信号であるＦＭ信号に変換して送出する放送信号伝送装置、及び当該放送信号伝送装置と施設の共同受信設備を用いた放送受信システムに関する。
【背景技術】
【０００２】
近年、災害時における中波による情報伝達手段としてのＡＭ放送などの放送の果たす役割が見直されている一方、都市部の一部では、ビル等の建築物による遮蔽等でその放送信号を受信できない場所などがある。また、ＡＭ放送やＦＭ放送、マルチメディア放送などを室内にて受信する際に、建物構造によって室内に到来する放送電波が弱くなるため受信しにくかったり、特に鉄筋構造の施設では、放送電波が遮蔽されて放送電波をできなかったりする場合がある。しかしながら、このような場所においても、多くの施設では共同受信設備を整えることにより、施設内部の部屋等に設けられた端子にケーブルを接続すれば、テレビ放送を視聴できる様になっている。この共同受信設備を用いれば、テレビ放送以外の放送信号も施設の内部に伝送することはできるが、テレビ以外の受信端末では外部アンテナ入力端子が設けられていないものが多いため、伝送された放送信号を一般の受信端末で受信することは困難であった。
【０００３】
このような問題を解決するものとして、建物の窓際などの比較的放送電波の受信しやすい場所に設置してＡＭ放送を受信し、これをＦＭ放送電波に変換して微弱な電波で輻射する鉄筋ビル内ＡＭ放送受信用ＡＭ／ＦＭ変換アダプタがあった（例えば特許文献１参照）。この鉄筋ビル内ＡＭ放送受信用ＡＭ／ＦＭ変換アダプタを用いれば、受信したＡＭ信号はＦＭ信号に変換され、微弱な電波で施設内に輻射されるため、施設内で、外部アンテナ入力端子を有しないＦＭラジオ等を用いてＡＭ放送番組を受信することができる。
【先行技術文献】
【特許文献】
【０００４】
【特許文献１】公開実用昭和６３−９５３４０号公報
【考案の概要】
【考案が解決しようとする課題】
【０００５】
しかしながら、上述の特許文献１に記載された技術では、当該アダプタを設置できる場所が、窓際などの電波を良好に受信できる場所に限定されてしまい、更には地下などの部屋では使用できないという問題があった。また輻射された電波は微弱であるため、当該輻射された電波をＦＭラジオなどの受信端末にて受信できる領域が当該アダプタを設置した窓際の付近に限定され、複数の部屋で放送を受信しようとした場合には、部屋毎に当該アダプタが必要となってしまうという問題もあった。また、従来、別々の用途の単体機器を組み合わせ、ＡＭ放送をＦＭ放送に変換するシステムも構築されていたが、伝送するＦＭ信号の数に比例して機器の数が増大し、大がかりなシステムとなってしまうと共に、設置及び調整に大きな労力をするという問題もあった。また、これらのシステムでは、放送信号以外の音声情報を伝達するための外部音声入力を有していなかった。
【０００６】
本考案は、上記の課題を解決するためになされたものであって、例えばＡＭ放送などの受信信号を複数の送出周波数のＦＭ信号に変調して送出する放送信号変換伝送装置を提供することを目的とする。更には受信した放送信号を、共同受信設備を用いて施設の内部に伝送し、所定の電界強度以下の電波として輻射する放送受信システムを提供することも目的とする。
【課題を解決するための手段】
【０００７】
上記目的を達成するために、本考案は、以下の手段を提供する。
本考案の放送信号変換伝送装置は、受信信号が入力される信号入力部と、前記受信信号の信号レベルを増幅する信号増幅部と、前記信号増幅部によって増幅された前記受信信号のうち、所定の受信周波数の受信信号を音声信号に復調する復調部、及び復調された前記音声信号を前記所定の受信周波数に対応した所定の送出周波数のＦＭ信号に変調するＦＭ変調部を有する変調ユニットとが設けられた、前記所定の受信周波数の信号を対応する所定の送出周波数のＦＭ信号に変換して送出する放送信号変換伝送装置であって、前記変調ユニットが複数設けられ、それぞれの前記変調ユニットから出力された信号が合成されて送出される信号送出部が少なくとも備えられていることを特徴とする。
【０００８】
本考案の放送信号変換伝送装置によれば、放送信号変換伝送装置に入力された受信信号に含まれる所定の受信周波数の受信信号は、各変調ユニットに備えられた復調部によって音声信号に復調された後、ＦＭ変調部によって当該受信周波数に対応した送出周波数のＦＭ信号にそれぞれ変調される。そして、各変調ユニットにて変調されたＦＭ信号は、信号送出部において合成されて送出される。
【０００９】
上記考案においては、前記各変調ユニットにて変調される前記受信信号の前記受信周波数を、それぞれ設定する受信周波数設定部と、前記受信周波数設定部にて設定された前記受信周波数が表示される受信周波数設定表示部と、前記各変調ユニットから送出されるＦＭ信号の前記送出周波数を設定する送出周波数設定部と、前記送出周波数設定部にて設定された前記送出周波数が表示される送出周波数設定表示部を備え、前記受信周波数設定部、前記受信周波数設定表示部、前記送出周波数設定部、前記送出周波数設定表示部が、それぞれ近接して配置されていることを特徴とすることが好ましい。
【００１０】
このようにすることにより、各変調ユニットによって復調される受信周波数は、それぞれ対応する受信周波数設定部の操作によって設定され、その設定された受信周波数は、それぞれ対応する受信周波数設定表示部に表示される。また各変調ユニットから送出されるＦＭ信号の送出周波数は、それぞれ対応する送出周波数設定部の操作によって設定され、設定された送出周波数は、それぞれ対応する送出周波数設定表示部に表示される。
【００１１】
更に上記考案においては、前記受信信号が入力される他の信号入力部と、前記他の信号入力部から入力された前記受信信号の信号レベルを所定の割合で減衰する信号減衰部と、前記信号減衰部により減衰された前記受信信号の信号レベルを所定の割合で増幅する他の信号増幅部を更に備え、前記信号入力部からの前記受信信号が前記変調ユニットに入力され、前記他の信号入力部からの前記受信信号が、他の変調ユニットに入力される第一の状態と、前記信号入力部からの受信信号が、全ての前記変調ユニットに入力される第二の状態を切り替える切替手段を備えていることを特徴とすることが好ましい。
【００１２】
このようにすることにより、信号入力部から入力された受信信号は信号増幅部によって増幅され、他の信号入力部から入力された受信信号は、信号減衰部によって減衰された後に、他の信号増幅部によって増幅される。この二つの信号入力部から入力された受信信号の各変調ユニットへの配分状態は、切替手段によって第一の状態、及び第二の状態の二つの異なる状態に切り替えられる。第一の状態では、信号入力部（信号増幅部のみが接続されている信号入力部）から入力された受信信号は、信号増幅部によって増幅され、所定の変調ユニットに入力される。この際、他の信号入力部（減衰部及び他の増幅部が接続されている信号入力部）から入力された受信信号は、減衰部によって減衰された後、増幅部によって増幅されて残りの変調ユニットに入力される。第二の状態では、信号入力部（信号増幅部のみが接続されている信号入力部）から入力された受信信号が、全ての変調ユニットに入力される。
【００１３】
更に上記考案においては、音声信号を入力する外部音声信号入力部を更に備え、前記受信信号を、前記所定の受信周波数に対応した前記所定の送出周波数のＦＭ信号にそれぞれ変換して送出する通常放送状態と、前記外部音声信号入力部から入力された音声信号を、全ての前記所定の送出周波数のＦＭ信号に変換して送出する割込放送状態とを切り替える切替手段を備えていることを特徴とすることが好ましい。
【００１４】
このようにすることにより、通常放送状態では信号入力部から入力された受信信号が所定の受信周波数に応じてＦＭ信号に変調されて送出される。一方、割込放送状態に切り替えられた場合には、外部音声信号入力部からの音声信号が、設定されている全ての送出周波数のＦＭ信号に変調されて送出される。
【００１５】
本考案の放送受信システムでは、放送信号を受信する放送信号受信部と、前記放送信号受信部にて受信した放送信号を施設の内部に共同受信設備を用いて伝送する伝送手段と、前記伝送手段によって伝送された前記放送信号のうち、ＶＨＦ帯の受信信号を施設内の所定領域に対して所定の電界強度以下の強度の電波として輻射する輻射アンテナ部とを備え、ＶＨＦ帯の放送信号以外の所定の放送信号を受信する他の放送信号受信部と、請求項１から請求項４に記載の放送信号変換伝送装置を更に有し、前記他の放送信号受信部により受信した前記所定の放送信号が、前記受信信号として少なくとも前記信号入力部に入力され、前記信号送出部から送出される信号が、前記伝送手段に入力されることを特徴とすることが好ましい。
【００１６】
このようにすることにより、放送信号受信部にて受信された放送信号は、共同受信設備を用いた伝送手段によって施設内の所定箇所に設けられた輻射アンテナ部に伝送される。また、他の放送信号受信部によって受信されたＶＨＦ帯の放送信号以外の放送信号は、放送信号変換装置に入力され、ＶＨＦ帯の放送信号であるＦＭ信号に変換されて共同受信設備を用いた伝送手段に入力される。そして、放送信号受信部にて受信された放送信号と共に輻射アンテナ部に伝送される。輻射アンテナ部に伝送された放送信号のうちＶＨＦ帯の放送信号（放送信号変換伝送装置によってＦＭ信号に変換された放送信号を含む）は、輻射アンテナ部によって所定の電界強度以下の電界強度の電波として施設内の所定の領域に輻射される。
【考案の効果】
【００１７】
本考案の放送信号変換伝送装置によれば、複数の変調ユニットを有していることから、複数の受信周波数の受信信号を、同時に対応する複数の送出周波数のＦＭ信号に変調し送出することができる。また、各変調ユニットの受信周波数を同一に設定すれば、一つの受信周波数の受信信号を複数の送出周波数のＦＭ信号に変調し送出することも可能である。更には、復調部とＦＭ変調部を一つの変調ユニットに設けられていることから、簡易な構成で設置も容易な放送信号変換伝送装置とすることができる。更に、本考案の放送受信システムによれば、施設内の共同受信設備によって伝送されているＶＨＦ帯の放送信号を、その施設の内部においてＦＭラジオなどの他の受信端末を用いて無線で受信することができる。また、本考案の放送受信システムは放送信号変換伝送装置を備えている事から、ＡＭ放送などのＶＨＦ帯以外の放送信号をＦＭ信号として同様に伝送し、輻射アンテナから輻射することができる。このため、ＦＭラジオなどの受信端末の受信周波数の設定を変更するだけで、ＡＭ放送などのＶＨＦ帯以外の放送の内容を受信することも可能となる。また、施設の共同受信設備を用いて伝送する為、放送電波の届きにくい建物構造の施設の内部でも放送信号を受信する事が可能となるという効果も奏する。更には、ビル等の建築物による遮蔽等により、ＡＭ放送などの放送信号を受信しにくい都市部においても、施設の内部で変調したＦＭ信号によって受信することが可能となる。
【図面の簡単な説明】
【００１８】
【図１】本考案の第一の実施形態に係る放送信号変換伝送装置の内部構成図（ブロック図）である。
【図２】本考案の第一の実施形態に係る放送信号変換伝送装置の正面外観図である。
【図３】本考案の第一の実施形態に係る放送信号変換伝送装置の正面外観図の一部拡大図である。
【図４】本考案の第一の実施形態に係る放送信号変換伝送装置の内部構成図（ブロック図）の一部拡大図である。
【図５】本考案の第二の実施形態に係る放送受信システムの全体を示す全体構成図である。
【考案を実施するための形態】
【００１９】
〔第一の実施形態〕
以下、本考案の第一の実施形態に係る放送信号変換伝送装置について図１から図４を参照しながら説明する。
【００２０】
本考案の第一の実施形態に係る放送信号変換伝送装置１は、受信信号を入力する放送信号入力部２と、入力された放送信号をＦＭ信号に変調する変調ユニット部１０と、変調された信号を送出する変調信号送出部３から主に構成されている。なお、以降の説明において放送信号変換伝送装置１に入力される放送信号がＡＭ放送である例に適用して説明をする。
【００２１】
放送信号入力部２には、受信信号を入力する信号入力４、及び信号入力５と、入力された信号をモニタする入力信号モニタ１８、及び外部音声信号入力部１９が設けられている。信号入力４には前置増幅器６が接続されており、前置増幅器６の出力は、変調ユニット１１、変調ユニット１２、入力信号モニタ１８及び信号切替器７のa端に接続されている。なお、入力信号モニタ１８は信号切替器７のａ端及びｄ端にも接続されている。
【００２２】
信号入力５は、減衰器８に接続され、減衰器８の出力は前置増幅器９に接続されている。前置増幅器９の出力は信号切替器７のｃ端に接続され、信号切替器７のｂ端は、変調ユニット１３及び変調ユニット１４にそれぞれ接続されている。外部音声信号入力部１９は、変調ユニット１１、変調ユニット１２、変調ユニット１３及び変調ユニット１４にそれぞれ設けられた、割込音声信号入力部２６に接続されている。変調ユニット１１、変調ユニット１２、変調ユニット１３及び変調ユニット１４はいずれも同一の構成をしており、以降、変調ユニット１１、変調ユニット１２、変調ユニット１３及び変調ユニット１４を総称して各変調ユニットと記載する。
【００２３】
なお、信号入力４が実用新案請求の範囲における信号入力部と、前置増幅器６が信号増幅部とされている。また、信号入力５が実用新案請求の範囲における他の信号入力部と、減衰器８が信号減衰部と、前置増幅器９が他の信号増幅部と、外部音声信号入力部１９が外部音声入力部とされている。
【００２４】
変調ユニット部１０は、変調ユニット１１、変調ユニット１２、変調ユニット１３及び変調ユニット１４から主に構成されている。各変調ユニットには、入力された信号を音声信号に復調する音声信号復調部２０と、音声信号をＦＭ信号に変調し、増幅をするＦＭ変調・増幅部２３から主に構成されている。音声信号復調部２０には、復調する放送信号の受信周波数を設定する受信周波数設定部２１、及び設定された受信周波数を表示する受信周波数設定表示部２２がそれぞれ設けられている。また、ＦＭ変調・増幅部２３には、送出するＦＭ信号の送出周波数を設定する送出周波数設定部２４、設定された送出周波数を表示する送出周波数設定表示部２５がそれぞれ設けられている。更にＦＭ変調・増幅部２３の入力側には、入力される音声信号を、音声信号復調部２０からの信号と割込音声信号入力部２６からの信号とで切り替える切替器２７が設けられている。
【００２５】
ＦＭ変調・増幅部２３には、図１に図示されていない出力レベル調整部３５が設けられており、ＦＭ変調・増幅部２３における信号の増幅度を調整することが可能になっている。各変調ユニットの出力は、それぞれ合成器１５に接続されており、合成器１５の出力は、信号出力１６及び出力信号モニタ１７にそれぞれ接続されている。なお、音声信号復調部２０が実用新案登録請求における復調部と、ＦＭ変調・増幅部２３が実用新案登録請求におけるＦＭ変調部とされている。また、合成器１５及び信号出力１６が実用新案請求の範囲における信号送出部とされている。
【００２６】
放送信号変換伝送装置１の筐体の前面部には、各変調ユニットに対応した、操作パネル３０、操作パネル３１、操作パネル３２及び操作パネル３３がそれぞれ設けられている。また、放送信号変換伝送装置１の電源のオン／オフを行う電源スイッチ３４、入力信号モニタ１８、及び出力信号モニタ１７もそれぞれ設けられている（図２参照）。なお、操作パネル３０、操作パネル３１、操作パネル３２及び操作パネル３３は、それぞれ変調ユニット１１、変調ユニット１２、変調ユニット１３及び変調ユニット１４に対応している。操作パネル３０、操作パネル３１、操作パネル３２及び操作パネル３３はそれぞれ同一の構成をしており、以降、操作パネル３０、操作パネル３１、操作パネル３２及び操作パネル３３を総称して各操作パネルと記載する。
【００２７】
操作パネル３０には、受信周波数設定部２１及び受信周波数設定表示部２２と、送出周波数設定部２４及び送出周波数設定表示部２５が近接して設けられている（図３参照）。なお、近接して配置するとは、本実施形態のように、同一の操作パネルにそれぞれを配置することや、放送信号変換伝送装置１の筐体の前面部分の所定の部分にそれらをまとめて配置する場合など、受信周波数設定表示部２２、及び送出周波数設定表示部２５の表示を視認しながら受信周波数設定部２１、及び送出周波数設定部２４を操作できる様に配置することを意味している。
【００２８】
この操作パネル３０の受信周波数設定部２１による設定により、変調ユニット１１の内部に設けられた音声信号復調部２０によって音声信号に復調される受信周波数が設定される。また、操作パネル３０の送出周波数設定部２４により、変調ユニット１１のＦＭ変調・増幅部２３によってＦＭ変調される送出周波数が設定される。なお、設定された受信周波数及び送出周波数は、それぞれ受信周波数設定表示部２２及び送出周波数設定表示部２５に表示される。
【００２９】
受信周波数設定部２１は、複数の上ボタン３６と下ボタン３７が、受信周波数設定表示部２２の各数字の上下にそれぞれ配置されている。この上ボタン３６及び下ボタン３７を押すことで、受信周波数の設定ができるようになっている。また、受信周波数設定表示部２２の数字の表示は、対応する上ボタン３６、下ボタン３７の操作に追随してそれぞれ変化する構成となっている。
【００３０】
送出周波数設定部２４も同様に、上ボタン３８と下ボタン３９が、送出周波数設定表示部２５の各数字の上下にそれぞれ配置され、上ボタン３８及び下ボタン３９を押すことで、送出周波数の設定ができるようになっている。送出周波数設定表示部２５の数字の表示は、対応する上ボタン３８と下ボタン３９の操作に追随してそれぞれ変化する構成となっている。
【００３１】
操作パネル３１、操作パネル３２及び操作パネル３３にも同様に受信周波数設定部２１及び受信周波数設定表示部２２と、送出周波数設定部２４及び送出周波数設定表示部２５がそれぞれ設けられている。操作パネル３０と同様に、各操作パネルの操作によって、対応する変調ユニット１２、変調ユニット１３及び変調ユニット１４の受信周波数及び送出周波数の設定、及びそれら設定した周波数の表示が可能である。
【００３２】
なお、各操作パネルには各変調ユニットの電源のオン／オフを切り替えるユニット電源スイッチ４０が備えられている。このように各変調ユニットにそれぞれユニット電源スイッチ４０を設ければ、例えば不慮のトラブルによって特定の変調ユニットが故障した場合、他の変調ユニットに影響を与えない様に、故障した変調ユニットのみ電源を切ることが可能となる。また、一つの変調ユニットを予備の変調ユニットとして装備する場合には、通常時は当該予備の変調ユニットの電源を切っておくことも可能である。
【００３３】
次に、上記の構成からなる放送信号変換伝送装置１における作用について説明する。
信号入力４及び信号入力５には、受信アンテナなどによって受信されたＡＭ信号が入力される。なお、このＡＭ信号の受信レベルは、各放送局の位置や出力によって異なる場合がある。本実施形態に係る放送信号変換伝送装置１では、各放送局からの放送信号の受信レベルが異なる場合に、各変調ユニット部への受信信号の入力を切り替える構成を有している。更に、本実施形態に係る放送信号変換伝送装置１は、放送信号以外の外部からの音声信号を入力し、ＦＭ信号として送出する構成も有している。このため、以降の説明では、放送信号変換伝送装置１の作用を、放送局からの放送信号の受信レベルの状態によって場合を分けて説明をする。更に、外部音声信号を入力する場合についてもその作用を説明する。
【００３４】
＜各放送局からの放送信号が同一の受信レベルである場合＞
受信した各放送局からの放送信号が同一の受信レベルである場合には、受信信号を信号入力４に入力し、信号切替器７を、そのａ端とｂ端が接続され、更にそのｄ端とｅ端が接続される様に設定する。この様に信号切替器７を設定すると、信号入力４に入力された受信信号は、変調ユニット１１、変調ユニット１２、変調ユニット１３及び変調ユニット１４に分配、入力されることになる。
【００３５】
この際、各変調ユニットの受信周波数の設定は、それぞれの変調ユニットに対応した受信周波数設定部２１を操作して、所望の放送局の周波数に設定しておく。同様に、送出されるＦＭ信号の送出周波数の設定は、各送出周波数設定部２４を操作して、各変調ユニットから送出されるＦＭ信号の所望の送出周波数に設定しておく。なお、ＦＭ信号の送出周波数は、混信等を避けるために異なる値に設定する。
【００３６】
各変調ユニットの切替器２７は、そのｇ端とｈ端が接続される様にそれぞれ設定する。このように切替器２７を設定することで、音声信号復調部２０からの信号が、ＦＭ変調・増幅部２３に入力されるようになる。
【００３７】
信号入力４から入力された受信信号は、前置増幅器６にて増幅され、変調ユニット１１、変調ユニット１２、変調ユニット１３及び変調ユニット１４に入力される。なお、前置増幅器６にて増幅された受信信号は、入力信号モニタ１８によってモニタが可能である。
【００３８】
各変調ユニットに入力された受信信号は、各受信周波数設定部２１にて設定された受信周波数の受信信号が、音声信号復調部２０にて音声信号に復調される。復調された音声信号は、切替器２７を経由してＦＭ変調・増幅部２３に入力され、送出周波数設定部２４にて設定された周波数のＦＭ信号に変調され、増幅される。なお、ＦＭ変調・増幅部２３による信号の増幅率は、出力レベル調整部３５によって調整可能である。各変調ユニットからの出力は、合成器１５によって合成され、信号出力１６から出力される。なお、この合成された送出信号は出力信号モニタ１７にてモニタ可能である。
【００３９】
＜各放送局からの受信電波の受信レベルが異なる場合＞
各放送局からの受信レベルに１０〜２０ｄＢ程度の差がある場合には、受信レベルが弱い放送局からの受信信号を信号入力４に入力し、受信レベルが強い放送局からの受信信号を信号入力５に入力する。更に、信号切替器７をそのｂ端とｃ端が接続され、更にそのｄ端とｃ端が接続される様に設定する。このように信号切替器７を設定すると、信号入力４から入力された受信信号は、前置増幅器６にて増幅され、変調ユニット１１及び変調ユニット１２に入力される。一方、信号入力５から入力された受信信号は、減衰器８によって減衰された後に、前置増幅器９にて増幅され、変調ユニット１３及び変調ユニット１４に入力される（図４参照）。この際、変調ユニット１１及び変調ユニット１２の受信周波数を、受信レベルが弱い放送局の受信周波数に設定し、変調ユニット１３及び変調ユニット１４の受信周波数を、受信レベルが強い放送局の受信周波数に設定しておく。なお、各変調ユニットに入力される信号は、入力信号モニタ１８によってモニタ可能である。
【００４０】
各変調ユニットに入力された信号は、各受信周波数設定部２１にて設定された受信周波数の信号が、音声信号復調部２０にて音声信号に復調され、ＦＭ変調・増幅部２３にて、送出周波数設定部２４にて設定された周波数のＦＭ信号に変調され、増幅される。
【００４１】
なお、信号切替器７を、そのａ端とｂ端が接続され、更にｄ端とｅ端が接続される様に設定し、信号入力４からの受信信号が各変調ユニットに入力される状態が、実用新案登録請求の範囲における第二の状態とされている。また、信号切替器７を、そのｂ端とｃ端が接続され、更にｄ端とｃ端が接続される様に設定し、信号入力４からの受信信号が、変調ユニット１１及び変調ユニット１２に入力され、信号入力５からの受信信号が変調ユニット１３及び変調ユニット１４に入力される状態が、実用新案登録請求の範囲における第一の状態とされている。また、信号切替器７が実用新案登録請求の範囲における第一の状態と第二の状態を切り替える切替手段とされている。
【００４２】
＜外部音声信号を入力する場合＞
外部音声を入力する場合には、外部音声信号入力部１９に外部音声信号を入力し、各変調ユニットの切替器２７を、そのｉ端とｈ端が接続される様に設定する。切替器２７をこのように設定すれば、外部音声信号入力部１９からの音声信号が、各変調ユニットに入力されることになる。入力された音声信号は、各変調ユニットのＦＭ変調・増幅部２３によって、それぞれ設定された送出周波数のＦＭ信号に変調され、増幅されて送出される。
【００４３】
なお、切替器２７を、そのｇ端とｈ端が接続される様に設定し、音声信号復調部２０からの信号がＦＭ変調・増幅部２３に入力される状態が、実用新案登録請求の範囲における通常放送状態とされている。また、切替器２７を、そのｉ端とｈ端が接続される様に設定し、外部音声信号入力部１９からの音声信号がＦＭ変調・増幅部２３に入力される状態が、実用新案登録請求の範囲における割込放送状態とされている。また、切替器２７が、実用新案登録請求の範囲における、通常放送状態と割込放送状態とを切り替える切替手段とされている。
【００４４】
上記の構成からなる放送信号変換伝送装置１によれば、複数の変調ユニットを有していることから、複数の受信周波数の受信信号を、同時に異なる送出周波数のＦＭ信号に変調し送出することができる。また、各変調ユニットの受信周波数を同一の周波数に設定し、送出周波数の設定を異なる周波数とすれば、同一の放送局からの放送信号を、複数の異なる送出周波数のＦＭ信号として送出することも可能である。更には、音声信号復調部２０とＦＭ変調・増幅部２３が一つの変調ユニットに設けられていることから、簡易な構成で設置も容易な放送信号変換伝送装置とすることができる。また、受信周波数設定部２１、受信周波数設定表示部２２、送出周波数設定部２４、送出周波数設定表示部２５を近接して配置していることから、設定している受信周波数及び送出周波数を確認しながら、受信周波数及び送出周波数を容易に設定することが可能となる。
【００４５】
また、受信した放送信号は、その放送局の放送場所や放送電力の違いによって、放送局毎に受信レベル（受信電波の電界強度）が異なる場合がある。このような場合であっても、本実施形態に係る放送信号変換伝送装置１では、減衰器８が接続された信号入力５を更に有していることから、受信レベルの強い放送局からの受信信号を信号入力５に入力して減衰器８を調整することができる。このようにする事で、各放送局からの放送信号を、同一のレベルの受信信号として各変調ユニットに入力することができる。
【００４６】
更には、本実施形態に係る放送信号変換伝送装置１では、外部音声信号入力部１９を有していることから、切替器２７を切り替えて外部音声信号を各ＦＭ変調・増幅部２３に入力し、外部音声信号をＦＭ信号として送出することが可能である。当該機能を用いれば、例えば非常災害時などにおける自治体等からの情報を、当該ＦＭ放送として伝達する事なども可能である。
【００４７】
〔第二の実施形態〕
次に、本考案の第二の実施形態に係る放送受信システムついて、図５を参照しながら説明する。なお、本実施形態の放送受信システムに用いられる放送信号変換伝送装置１は第一の実施形態と同様であるため、当該部分の説明を省略する。また、共同受信設備１２０を構成する公知の部分についても同様に説明を省略する。
【００４８】
本実施形態に係る放送受信システム１００は、ＵＨＦアンテナ１０１、ＶＨＦアンテナ１０２、ＡＭアンテナ１０３、放送信号変換伝送装置１、共同受信設備１２０と、室内１３０の壁面端子１０８に接続される輻射アンテナ１０９から主に構成されている。ここで、室内１３０とは当該共同受信設備１２０の設けられた施設の部屋などの内部である。
【００４９】
共同受信設備１２０は、施設内の部屋などにテレビ放送信号などを伝送する為の設備で、ＶＨＦ帯・ＵＨＦ帯受信用増幅器１０４、合成器１０５、増幅器１０６、分配設備１０７、及び同軸ケーブル１１２などから主に構成されている。また、ＵＨＦアンテナ１０１は、主にＵＨＦ帯であるテレビ放送信号を受信するアンテナであり、ＶＨＦアンテナ１０２は、主にＶＨＦ帯であるＦＭ放送やマルチメディア放送を受信するアンテナである。また、ＡＭアンテナ１０３は、主にＡＭ放送を受信するアンテナである。なお、共同受信設備１２０は、施設に既存の設備であっても、新設されるものであっても構わない。また、施設によってはＶＨＦアンテナ１０２がない場合もある。
【００５０】
なお、本実施形態におけるＵＨＦアンテナ１０１及びＶＨＦアンテナ１０２が、実用新案登録請求の範囲における放送信号受信部と、ＡＭアンテナ１０３が他の放送信号受信部とされている。
【００５１】
上記の構成からなる放送受信システムにおいては、ＡＭアンテナ１０３にて受信されたＡＭ信号は、放送信号変換伝送装置１によってＦＭ信号に変調される。この変調されたＦＭ信号は、合成器１０５に入力され、ＵＨＦアンテナ１０１及びＶＨＦアンテナ１０２にて受信された受信信号と共に室内１３０に伝送される。
【００５２】
室内１３０に伝送された受信信号のうち、ＶＨＦ帯の受信信号は、輻射アンテナ１０９によって所定の電界強度以下の微弱な電波として輻射される。ここで、輻射されるＶＨＦ帯の受信信号には、放送信号変換伝送装置１によって変調されたＦＭ信号の他、ＶＨＦアンテナ１０２によって受信されたＦＭ放送やマルチメディア放送なども含まれる。なお、輻射アンテナ１０９には、ダイポール等の線状アンテナの他、輻射アンテナ１０９から３ｍの距離における電界強度がＶＨＦ帯の信号で５００μＶ／ｍ以下となる仕様の、その他の公知のアンテナを使用することが可能である。
【００５３】
本実施形態では、輻射アンテナ１０９から輻射される電波の電界強度は、輻射アンテナ１０９から３ｍの距離における電界強度がＶＨＦ帯の信号で５００μＶ／ｍ以下となるように設定されている。なお本実施形態では、所定の電界強度以下とは、電波法の規制により免許などの取得が不要とされている所定の範囲であることを意図している。
【００５４】
輻射アンテナ１０９から輻射された微弱電波は、ＶＨＦ帯の放送電波であるためＦＭラジオや携帯端末、マルチメデイア専用端末などの受信端末１１０によって受信することができる。なお、室内１３０にはＵＨＦ帯のテレビ放送信号も同様に伝送されているため、壁面端子１０８とテレビ受信機１１３を同軸ケーブル１１１にて接続すれば、テレビ放送を受信することも可能である。
【００５５】
上記の構成からなる放送受信システム１００では、施設に設けられたＶＨＦアンテナ１０２およびＡＭアンテナ１０３にて受信した受信信号を、施設の共同受信設備１２０を用いて伝送する為、放送電波の届きにくい建物構造の施設の内部でもＶＨＦ帯の放送信号を受信する事が可能となる。更には、放送信号変換伝送装置１を備えていることから、ＦＭ信号に変調したＡＭ放送を受信することも可能となる。また、ビル等の建築物による遮蔽等により、ＡＭ放送を受信しにくい都市部においても、施設の内部でＦＭ信号に変調したＡＭ放送を受信することが可能となる。また、伝送されたＶＨＦ帯の受信信号は微弱な電波として輻射されることから、外部アンテナ端子を有しないＦＭラジオやマルチメディア放送用受信端末などの受信端末１１０であっても、伝送された放送を受信する事が可能である。更には、受信されたＡＭ信号は放送信号変換伝送装置１によってＦＭ信号に変調されて輻射されることから、ＦＭラジオなどの受信端末１１０の受信周波数を変更するだけで、ＦＭ放送の他に、ＡＭ放送の放送内容を受信することが可能となる。また、放送受信システム１００に用いられている放送信号変換伝送装置１には、外部音声信号入力部１９を有していることから、例えば非常災害時などにおける自治体等からの情報を、ＦＭ放送として施設の内部の受信者に放送することも可能となる。
【００５６】
なお、本考案の技術範囲は上記実施形態に限定されるものではなく、本考案の趣旨を逸脱しない範囲において種々の変更を加えることが可能である。
例えば、本実施形態では、放送信号変換伝送装置１に入力される受信信号としてＡＭ放送を例にして挙げたが、他のＶＨＦ帯以外の放送の受信信号を入力する構成であっても構わない。また、本実施形態では、受信周波数設定部２１及び受信周波数設定表示部２２と、送出周波数設定部２４及び送出周波数設定表示部２５に、数値の設定部と数値の表示部が一体となったデジタルスイッチ（サムロータリスイッチ）を用いている。しかしながら、これに限定される訳ではなく、ダイヤル式のスイッチや、設定部の数値の設定に従って液晶などにデジタル数字が表示さる方式など、他の設定手段や設定表示手段を用いても構わない。
【００５７】
更には、放送受信システムの放送受信部としてＡＭアンテナを用いた構成を説明したが、ケーブル等にて伝送された放送信号を受信する端子を放送受信部として用いても構わない。
【符号の説明】
【００５８】
１  放送信号変換伝送装置
２  放送信号入力部
３  変調信号送出部
４  信号入力
５  信号入力
６  前置増幅器
７  信号切替器
８  減衰器
９  前置増幅器
１０  変調ユニット部
１１  変調ユニット
１２  変調ユニット
１３  変調ユニット
１４  変調ユニット
１５  合成器
１６  信号出力
１７  出力信号モニタ
１８  入力信号モニタ
１９  外部音声信号入力部
２０  音声信号復調部
２１  受信周波数設定部
２２  受信周波数設定表示部
２３  ＦＭ変調・増幅部
２４  送出周波数設定部
２５  送出周波数設定表示部
２６  割込音声信号入力部
２７  切替器
３０  操作パネル
３１  操作パネル
３２  操作パネル
３３  操作パネル
３４  電源スイッチ
３５  出力レベル調整部
３６  上ボタン
３７  下ボタン
３８  上ボタン
３９  下ボタン
４０  ユニット電源スイッチ
１００  放送受信システム
１０１  ＵＨＦアンテナ
１０２  ＶＨＦアンテナ
１０３  ＡＭアンテナ
１０４  ＶＨＦ帯・ＵＨＦ帯受信用増幅器
１０５  合成器
１０６  増幅器
１０７  分配設備
１０８  壁面端子
１０９  輻射アンテナ
１１０  受信端末
１１１  同軸ケーブル
１１２  同軸ケーブル
１１３  テレビ受信機
１２０  共同受信設備
１３０  室内
【図１】
0003192255.tif 000003
【図２】
0003192255.tif 000004
【図３】
0003192255.tif 000005
【図４】
0003192255.tif 000006
【図５】
0003192255.tif 000007
【手続補正書】
【提出日】平成26年6月4日(2014.6.4)
【手続補正１】
【補正対象書類名】実用新案登録請求の範囲
【補正対象項目名】請求項３
【補正方法】変更
【補正の内容】
【請求項３】
前記受信信号が入力される他の信号入力部と、
前記他の信号入力部から入力された前記受信信号の信号レベルを所定の割合で減衰する信号減衰部と、
前記信号減衰部により減衰された前記受信信号の信号レベルを所定の割合で増幅する他の信号増幅部を更に備え、
前記信号入力部からの前記受信信号が前記変調ユニットに入力され、前記他の信号入力部からの前記受信信号が、他の変調ユニットに入力される第一の状態と、
前記信号入力部からの受信信号が、全ての前記変調ユニットに入力される第二の状態を切り替える切替手段を備えていることを特徴とする請求項１または請求項２に記載の放送信号変換伝送装置。
【手続補正２】
【補正対象書類名】実用新案登録請求の範囲
【補正対象項目名】請求項４
【補正方法】変更
【補正の内容】
【請求項４】
音声信号を入力する外部音声信号入力部を更に備え、
前記受信信号を、前記所定の受信周波数に対応した前記所定の送出周波数のＦＭ信号にそれぞれ変換して送出する通常放送状態と、
前記外部音声信号入力部から入力された音声信号を、全ての前記所定の送出周波数のＦＭ信号に変換して送出する割込放送状態とを切り替える切替手段を備えていることを特徴とする請求項１から請求項３のいずれか一項に記載の放送信号変換伝送装置。
【手続補正３】
【補正対象書類名】実用新案登録請求の範囲
【補正対象項目名】請求項５
【補正方法】変更
【補正の内容】
【請求項５】
放送信号を受信する放送信号受信部と、
前記放送信号受信部にて受信した放送信号を施設の内部に共同受信設備を用いて伝送する伝送手段と、
前記伝送手段によって伝送された前記放送信号のうち、ＶＨＦ帯の受信信号を施設内の所定領域に対して所定の電界強度以下の強度の電波として輻射する輻射アンテナ部とを備え、
ＶＨＦ帯の放送信号以外の所定の放送信号を受信する他の放送信号受信部と、
請求項１から請求項４のいずれか一項に記載の放送信号変換伝送装置と、
を更に有し、
前記他の放送信号受信部により受信した前記所定の放送信号が、前記受信信号として少なくとも前記信号入力部に入力され、
前記信号送出部から送出される信号が、前記伝送手段に入力される
ことを特徴とする放送受信システム。